(57)【要約】【課題】  端部加工等を必要とせず且つ端部の止め付けが確実に行える横葺き屋根の下り棟納め構造を提供すること。【解決手段】  横葺き屋根の下り棟納め構造において、被取付部２ｂと両側の固定部２ｃを有する支持部材２を隣り合う下地面に跨ぐようにして当該固定部２ｃを下地１に固定し、支持部材２の両側に横葺き屋根板３をそれぞれ配し、横葺き屋根板端部３ａを、化粧部４ｂと押圧部４ａと固定縁部４ｄを有する保持部材４の押圧部４ａで押圧すると共に当該固定縁部４ｄを被取付部２ｂに固定する。【選択図】  図１
2006274769.tif 000002
【特許請求の範囲】
【請求項１】
横葺き屋根の下り棟納め構造において、
被取付部と両側の固定部を有する支持部材を隣り合う下地面に跨ぐようにして当該固定部を下地に固定し、
前記支持部材の両側に横葺き屋根板をそれぞれ配し、
前記横葺き屋根板端部を、化粧部と押圧部と固定縁部を有する保持部材の前記押圧部で押圧すると共に当該固定縁部を前記被取付部に固定することで構成される横葺き屋根の下り棟納め構造。
【請求項２】
保持部材の押圧部は、少なくとも横葺き屋根板表面との接触部分に弾性材を設けたことを特徴とする請求項１記載の横葺き屋根の下り棟納め構造。
【発明の詳細な説明】
【技術分野】
【０００１】
本発明は横葺き屋根の下り棟納め構造に関する。
【背景技術】
【０００２】
横葺き屋根における下り棟等の納めは、現場での横葺き屋根板端部の端縁を裏面側に折り返したり、逆に表面側に立ち上げたりする等の端部加工が必要とされる。
しかし、現場で板金加工の行える熟練工の減少により、現場での端部加工等を必要としない施工技術および構造が必要とされている。
その中で、下り棟等においては、端縁をジョイナー等で挟着して納める方法も行われているが、施工者の認識（技術）のばらつきによって横葺き屋根板の飛散事故や浸水事故が発生することもある。
代表的な例は、下り棟の棟芯側が固定されずにジョイナーで接続した結果、負圧等によって捲れあがってしまうことがある。すなわち、棟部分では垂木の配設方向に直交して横葺き屋根板が配設されるため、１枚の横葺き屋根板が複数の垂木を跨ぎ、その結果、複数箇所（垂木上）に固定することができるが、下り棟等では、横葺き屋根板長さが棟部分に比べて短くなることが多く、複数の固定箇所（垂木）を確保できずに、片持ち状に止め付けられたり、引き抜き強度の弱い下地材にビス止めが行われてしまうとことがある。
【特許文献１】実公昭５９−２９０５２号
【発明の開示】
【発明が解決しようとする課題】
【０００３】
解決しようとする課題は、第１には、端部加工等を必要とせず且つ端部の止め付けが確実に行える横葺き屋根の下り棟納め構造を、第２には、さらに、下り棟部分における横葺き屋根板端部から下地側への浸水がない横葺き屋根の下り棟納め構造を提供することにある。
【課題を解決するための手段】
【０００４】
本発明は前記した課題を達成するため、以下の構成にしたことを特徴とする。
１．横葺き屋根の下り棟納め構造において、被取付部と両側の固定部を有する支持部材を隣り合う下地面に跨ぐようにして当該固定部を下地に固定し、前記支持部材の両側に横葺き屋根板をそれぞれ配し、前記横葺き屋根板端部を、化粧部と押圧部と固定縁部を有する保持部材の前記押圧部で押圧すると共に当該固定縁部を前記被取付部に固定することで構成されている。
２．前記した１において、保持部材の押圧部は、少なくとも横葺き屋根板表面との接触部分に弾性材を設けたことを特徴とする。
【０００５】
本発明における納めは、横葺き屋根を構成する下り棟における屋根面同士の取り合い部分を指し、横葺き屋根板端部は長手方向の端および端縁さらに当該端縁に連なる長手方向の側縁部分を指す。
下地は、鉄骨でも、軒棟方向に架設された垂木でも、その他の公知のものでもよく、支持部材の固定強度が十分に得られるものであれば制限はない。
支持部材は、端から端まで長尺状（連続材）のものであってもよいし、複数の垂木あるいは下地に固定可能な長さであれば一定長さのものからなる複数の組み合わせであってもよい。すなわち支持部材は、取り付け対象となる屋根面同士の境界に沿って支持部材に固定される横葺き外装材等がその端部を支障なく固定可能であれば、支持部材端部間に隙間が介在していてもよい。支持部材の上面部は、平坦状、略三角状、湾曲状等でよく制限されない。起立部は、略鉛直状であっても傾斜状であってもよい。傾斜状の場合、起立部へのビス等の固定具による固定が容易に行えることになる。
保持部材は、１部材でも、保持部材とカバー部材からなる複数部材であってもよい。１部材のものでは、カバー部材を兼ねる態様のものであってもよい。この保持部材は、少なくとも化粧部と押え部と固定縁部を有し、各部が他部を兼ねる態様のものであってもよい。例えば、押え部が化粧部を兼ねるもの、固定縁部が化粧部を兼ねるもの等であってもよい。押え部は、横葺き屋根板端部を各段毎に押える態様でも、横葺き屋根板端部を部分的に押えるものであってもよい。また、押え部は、各段の屋根材端部の流れ方向長さの全長を押えるものでも、部分的或いは適宜間隔で押えるものであってもよい。
また、保持部材は、横葺き屋根板端部の押え付けの他に、雨仕舞の機能、カバー部材等の他部材の取付け部等を兼ね備えるものでもよい。この雨仕舞の機能を兼ね備えたものとして、押え部は弾性材を設けてある態様のものであってもよい。この弾性材としては、防水性に富む弾性ゴム材等のシール材が挙げられるが、横葺き屋根板端部を押圧することで同端部表面に密着し、各段の横葺き屋根板端部表面との間に隙間が発生しないように働き得る形態のものであればよい。
カバー部材は、支持部材および押え部による横葺き屋根板端部の押え部分をカバーするものであればよく、このカバー部材の止め手段としては、ビス止め等によるもの（ビス孔から浸水しない箇所）でも、係合、カシメ、嵌合等の公知の止め手段であればよい。
【発明の効果】
【０００６】
Ａ．請求項１により、横葺き屋根板の端部加工等を必要とせず且つ端部の止め付けが確実に行える。しかも、この止め付けは横葺き屋根板端部を押圧してあるものであるため、ビス止め等の穴開きによる浸水の恐れがない。
Ｂ．請求項２により、さらに、横葺き屋根板端部からの浸水を弾性材で阻止できるため、当該端部から屋根板裏面側への浸水がない。
【発明を実施するための最良の形態】
【０００７】
図１〜図５には本発明の横葺き外装材の下り棟納め構造における実施の１形態を例示しており、下り棟芯を境にして隣り合う軒棟方向に沿う垂木１間に跨ぐようにして支持部材２を配設してある。
支持部材２は下り棟の一端から他端まで達する金属板製の長尺状のもので、断面略逆Ｖ状上面部２ａと、上面部２ａの両側縁から下方へ折曲した左右の起立部２ｂと、起立部２ｂ下端から外側（軒側）に折曲して延出した左右の固定部２ｃを有し、各折曲部のうちの上面部２ａ頂部の角部２ｄと、起立部２ｂと固定部２ｃの角部２ｅには、長手方向に沿って小間隔で連続的に連なる複数の開口部２ｆを有している。この開口部２ｆは、長孔の長手方向の両端が外側に凸の山形状にしてあり、曲げセンターが出しやすく且つ曲げ作業し易くしてある。
【０００８】
この支持部材２は、左右の固定部２ｃを左右の垂木１上面に当該上面の勾配に合わせてその曲げ角度を調整してビス等の固定具５でそれぞれ固定し、左右の固定部２ｃ上にはそれぞれ横葺き屋根板端部３ａを載置してある。横葺き屋根板３は、上段の横葺き屋根板３の水上側成形部３ｂと下段の横葺き屋根板３の水下側成形部３ｃを係止することで葺いてある。
左右の各段における横葺き屋根板端部３ａ上には保持部材４を載置し、保持部材４の押え部４ａが横葺き屋根板端部３ａを押圧して固定部２ｃすなわち垂木１側に押し付けた状態に、保持部材４を支持部材２にビス等の固定具９で止着することにより固定してある。
【０００９】
保持部材４は、断面逆ハット状で横葺き屋根板３の有効幅（軒棟方向）よりも幾分長く形成してあり、押え部４ａと、押え部４ａ外縁から上向きに折曲した化粧部４ｂと、化粧部４ｂから外側に折曲した被係止部４ｃと、押え部４ａ内縁から上向きに折曲した固定縁部４ｄを有している。また、保持部材４は、被係止部４ｃおよび固定縁部４ｄを長手方向の軒側端よりも棟側端が高くなるようにしてあり、この軒側端と棟側端の高低差は上段と下段の横葺き屋根板の係止部分における段差に相当し、各段の横葺き屋根板端部３ａを押え部４ａにより押圧した状態での各保持部材４における被係止部４ｃおよび固定縁部４ｄが段差なく面一に連続し得るように形成してある。
かかる保持部材４は、固定縁部４ｄを支持部材２の起立部２ｂに固定具９で固定してあり、押え部４ａで横葺き屋根板端部３ａを各段ごとに押圧して押え付けている。
支持部材２左右の下り棟芯方向に沿う各保持部材４にはカバー部材６を被せ、カバー部材６の係止部６ａを被係止部４ｃに係止させて覆設してある。
【００１０】
保持部材４の押え部４ａ裏面にはシール材８を貼着する等して設けてあり、このシール材８を経て押え部４ａで各段の横葺き屋根板端部３ａを押圧することで、当該シール材８を同端部３ａ表面に密着させて隙間をなくして止水し、外側から内部への浸水を阻止して雨仕舞してある。
そして、横葺き屋根板端部３ａ裏面側には捨て板７をそれぞれ配設してある。捨て板７は外側側縁に軒棟方向に平行状の返し部７ａを、内側側縁に支持部材２の起立部２ｂに沿う立ち上げ部７ｂを形成してあり、下り棟芯側の小幅状側縁部７ｃは横葺き屋根板３における当該段の横葺き屋根板３の水上側成形部３ｂよりも水上側に、軒側の広幅状側縁部７ｄは下段の横葺き屋根板３の水上側成形部３ｂより水下側に、それぞれ位置し、横葺き屋根板端部３ａから裏面側への浸水があったとしても、これを広幅状側縁部７ｄから下段の横葺き屋根板３の水上側成形部３ｂに分散して当該段の横葺き屋根板３上に導くことで屋根裏に漏水がないようにしてある。立ち上げ部７ｂは起立部２ｂと固定縁部４ｄに挟着されている。
【００１１】
図６、図７には本発明の横葺き外装材の下り棟納め構造における実施の他の１形態をそれぞれ例示しており、構成は垂木１の勾配が相違する点等を除いて前記した図１の態様のものと基本的に同一であるため、説明は符合を準用して省略するが、保持部材４の押え部４ａ裏面にはシール材１０を貼着する等して設けてあり、このシール材１０を経て押え部４ａで各段の横葺き屋根板端部３ａを押圧することで、当該シール材１０を同端部３ａ表面に密着させて隙間をなくして止水し、外側から内部への浸水を阻止して雨仕舞してある。
【００１２】
図８には本発明の横葺き外装材の下り棟納め構造における実施の他の１形態をそれぞれ例示しており、構成は垂木１の勾配が相違する点および保持部材４の押え部４ａにシール材８を設けていない点等を除いて前記した図１の態様のものと基本的に同一であるため、説明は符合を準用して省略する。
【００１３】
図９には本発明の横葺き外装材の下り棟納め構造における実施の他の１形態を例示しており、構成は前記した図１の態様のものと基本的に同一であるため、共通している構成の説明は符合を準用して省略し、相違する構成について説明する。
保持部材４はカバー部材６を兼ねており、固定縁部４ｄを支持部材２の起立部２ｂに固定具９で固定してあり、押え部４ａで各段の横葺き屋根板端部３ａを押圧して押え付けている。
保持部材４の押え部４ａ裏面にはシール材１１を貼着する等して設けてあり、このシール材１１を経て押え部４ａで各段の横葺き屋根板端部３ａを押圧することで、当該シール材１１を同端部３ａ表面に密着させて隙間をなくして止水し、外側から内部への浸水を阻止して雨仕舞してある。
【図面の簡単な説明】
【００１４】
【図１】本発明の横葺き外装材の下り棟納め構造における実施の１形態を例示している縦断面図。
【図２】平面図。
【図３】分解斜視図。
【図４】保持部材の斜視図。
【図５】支持部材の斜視図。
【図６】本発明の横葺き外装材の下り棟納め構造における実施の他の１形態を例示している縦断面図。
【図７】本発明の横葺き外装材の下り棟納め構造における実施の他の１形態を例示している縦断面図。
【図８】本発明の横葺き外装材の下り棟納め構造における実施の他の１形態を例示している縦断面図。
【図９】本発明の横葺き外装材の下り棟納め構造における実施の他の１形態を例示している縦断面図。
【符号の説明】
【００１５】
１  垂木（下地）
２  支持部材
２ａ  上面部
２ｂ  起立部（被取付部）
２ｃ  固定部
２ｄ，２ｅ  角部
２ｆ  開口部
３  横葺き屋根板
３ａ  横葺き屋根板端部
３ｂ  水上側成形部
３ｃ  水下側成形部
４  保持部材
４ａ  押え部
４ｂ  化粧部
４ｃ  被係止部
４ｄ  固定縁部
５，９  固定具
６  カバー部材
６ａ  係止部
７  捨て板
７ａ  返し部
７ｂ  立ち上げ部
７ｃ  小幅状側縁部
７ｄ  広幅状側縁部
８，１０，１１  シール材（弾性材）
【図１】
2006274769.tif 000003
【図２】
2006274769.tif 000004
【図３】
2006274769.tif 000005
【図４】
2006274769.tif 000006
【図５】
2006274769.tif 000007
【図６】
2006274769.tif 000008
【図７】
2006274769.tif 000009
【図８】
2006274769.tif 000010
【図９】
2006274769.tif 000011